(57)【要約】    【課題】  リン載置板を収容した経机状の収納箱を出し入れ自在に設けた仏壇において、耐久強度を高く確保しながらリン載置板を円滑に作動でき、しかも設計及び外観の自由度を高めうる。    【解決手段】  上方に厨子部３を設けた基台部２に、前後移動しうる移動基板２０を有する経机状の移動体１８を設けるとともに、その一側方側の空所Ｈかつ移動基板２０に、駆動手段により駆動されるリン載置板を設る。前記駆動手段２２は、移動基板２０の前方移動に連動しかつこの移動基板２０に対して相対的に前後移動しうる作動片３０を有する押し引き手段３１と、リン載置板を載置した被動板２５を前記移動基板２０に対して相対的に前斜め外方にスライド可能に案内する斜行手段３２と、前記被動板２５に形成され前記作動片３０が係合する案内部３３とを具える。【選択図】  図１
2005058416.tif 000002
【特許請求の範囲】
【請求項１】
基台部とその上の厨子部とを別体又は一体に有し、かつ前記基台部に、該基台部内を前後に移動しうる移動基板と、少なくとも一側方に空所を残して経机状の箱体を立ち上げた収納箱とからなる移動体を設けた仏壇であって、
前記収納箱の前記空所内かつ移動基板に、駆動手段により駆動されかつリンを載置しうるリン載置板を設け、
かつ前記駆動手段は、
前記空所内かつ移動基板に、一端が前記基台部に枢着されかつ中間部位が前記移動基板に枢着され、しかも前記移動基板の移動とともに案内手段により案内されて前後に移動しうる作動片を他端に有する押し引き手段、
前記移動基板に固定されかつ前後方向線に対して中心線が前斜め外に傾くガイド部材に、スライド可能かつ回動不能に保持されることにより前記リン載置板を載置しうる被動板を斜行しうる斜行手段、
及びこの被動板に形成され前記作動片が係合するとともに、前記リン載置板が収納される場合の移動基板の前後動に対して作動片と遊合して前記被動板を移動基板と一体移動させる前後案内部と、この前後案内部の前端に連続してかつ基台部中心側に向けて延在することにより、前記被動板が斜行域となった状態で、前記作動片が前記被動板を押し前記リン載置板を、前記基台部の側板を前に越えた位置で前記前斜め外に送り出す横案内部とからなる案内部を具えることを特徴とする仏壇。
【請求項２】
前記押し引き手段は、
後端の第１点Ｐ１が前記基台部の枢着点Ｋ１で枢着される第１のリンクＬａ１と、
この第１のリンクＬａ１の前端の第２点Ｐ２で後端の第３点Ｐ３が枢支され、かつ中間点が前記移動基板の枢着点Ｋ２で枢着される第２のリンクＬａ２と、
この第２のリンクＬａ２の前端の第４点Ｐ４で後端の第５点Ｐ５が枢支され、かつ前端の第６点が案内手段によって前後に案内される第３のリンクＬａ３とを具えるとともに、
前記第３のリンクＬａ３の前記第６点Ｐ６は、前記作動片を具え、かつ前記被動板の前記案内部に係合することを特徴とする請求項１記載の仏壇。
【請求項３】
前記案内部は、前後案内部と横案内部とが、直角又は非直角なＬ字状をなすことを特徴とする請求項１又は２記載の仏壇。
【請求項４】
前記案内部は、カム板に形成され、かつ該カム板は、被動板において取替自在であることを特徴とする請求項１〜３の何れかにに記載の仏壇。
【発明の詳細な説明】
【技術分野】
【０００１】
本発明は、経机状をなしかつリン載置板を有する収納箱を出し入れ自在に設けた仏壇に関する。
【背景技術】
【０００２】
図１０に略示する如く、厨子部ａを上方に形成した基台部ｂに、経机状をなす収納箱ｃを前後に出し入れ自在に設けた仏壇が、特許文献１に提案されている。この仏壇では、前記収納箱ｃに、支点ｉの回りで回動自在に枢着されるリン載置板ｄを配するとともに、基台部ｂに、収納箱ｃの前方移動に連動して前記リン載置板ｄを外開きの開放姿勢まで回動させるリンク機構の回動手段ｅを設け、これによってリンを収納箱ｃの外に出現させている。
【０００３】
しかし、係る構造では、リン載置板ｄを回動させるための支点回りのモーメントが一定せず、しかも支点ｉに大きな負荷が集中するため、動きに円滑さを欠きかつ耐久強度を損ねる傾向となる。又収納箱ｃの前方移動と同時にリン載置板ｄの回動が始まるため、このリン載置板ｄと基台部ｂの側板ｂ１との衝合を避けるため、例えば前記側板ｂ１の前縁を後方側に大きく下げる、或いはリン載置板ｄを前記側板ｂ１から内方に大きく間隔をあける等の必要が生じるなど設計及び外観に大きな制限を受けるという問題がある。
【０００４】
【特許文献１】特開２０００−３０８５６６号公報
【発明の開示】
【発明が解決しようとする課題】
【０００５】
そこで本発明は、リン載置板ｄを支点ｉ廻りで回動させるのではなく前斜め外方に向かってスライド可能に案内し、かつ駆動手段によって前記リン載置板ｄを、基台部ｂの側板ｂ１前縁を越える位置までは収納箱ｃと一体に前方移動させた後、前斜め外方に斜行させることを基本として、耐久強度を高く確保しながらリン載置板を円滑に作動でき、しかも設計及び外観の自由度を高めうる仏壇の提供を目的としている。
【課題を解決するための手段】
【０００６】
前記目的を達成するために、本願請求項１の発明は、基台部とその上の厨子部とを別体又は一体に有し、かつ前記基台部に、該基台部内を前後に移動しうる移動基板と、少なくとも一側方に空所を残して経机状の箱体を立ち上げた収納箱とからなる移動体を設けた仏壇であって、
前記収納箱の前記空所内かつ移動基板に、駆動手段により駆動されかつリンを載置しうるリン載置板を設け、
かつ前記駆動手段は、
前記空所内かつ移動基板に、一端が前記基台部に枢着されかつ中間部位が前記移動基板に枢着され、しかも前記移動基板の移動とともに案内手段により案内されて前後に移動しうる作動片を他端に有する押し引き手段、
前記移動基板に固定されかつ前後方向線に対して中心線が前斜め外に傾くガイド部材に、スライド可能かつ回動不能に保持されることにより前記リン載置板を載置しうる被動板を斜行しうる斜行手段、
及びこの被動板に形成され前記作動片が係合するとともに、前記リン載置板が収納される場合の移動基板の前後動に対して作動片と遊合して前記被動板を移動基板と一体移動させる前後案内部と、この前後案内部の前端に連続してかつ基台部中心側に向けて延在することにより、前記被動板が斜行域となった状態で、前記作動片が前記被動板を押し前記リン載置板を、前記基台部の側板を前に越えた位置で前記前斜め外に送り出す横案内部とからなる案内部を具えることを特徴としている。
【０００７】
又請求項２の発明では、前記押し引き手段は、
後端の第１点Ｐ１が前記基台部の枢着点Ｋ１で枢着される第１のリンクＬａ１と、
この第１のリンクＬａ１の前端の第２点Ｐ２で後端の第３点Ｐ３が枢支され、かつ中間点が前記移動基板の枢着点Ｋ２で枢着される第２のリンクＬａ２と、
この第２のリンクＬａ２の前端の第４点Ｐ４で後端の第５点Ｐ５が枢支され、かつ前端の第６点が案内手段によって前後に案内される第３のリンクＬａ３とを具えるとともに、
前記第３のリンクＬａ３の前記第６点Ｐ６は、前記作動片を具え、かつ前記被動板の前記案内部に係合することを特徴としている。
【０００８】
又請求項３の発明では、前記案内部は、前後案内部と横案内部とが、直角又は非直角なＬ字状をなすことを特徴としている。
【０００９】
又請求項４の発明では、前記案内部は、カム板に形成され、かつ該カム板は、被動板において取替自在であることを特徴としている。
【発明の効果】
【００１０】
本発明は叙上の如く構成しているため、リン載置板を円滑に作動できかつ耐久強度を向上しうるとともに、設計及び外観の自由度を高めることができる。
【発明を実施するための最良の形態】
【００１１】
以下、本発明の実施の一形態を、図示例とともに説明する。
図１において、本実施形態の仏壇１は、基台部２と、その上に形成される厨子部３とを別体に具える所謂厨子型仏壇であって、前記基台部２には、経机状の収納箱４を有する移動体１８を前後に出し入れ自在に設けている。
【００１２】
前記基台部２は、前開口の矩形箱状をなし、底板２Ａと、その両側縁で立上がる一対の側板２Ｂと、各側板２Ｂの後縁間を継ぐ背板２Ｃと、前記側板２Ｂ及び背板２Ｃの各上端間に水平に架け渡される上板である支持板５とにより形成される。
【００１３】
なお本例では、前記基台部２には、前記支持板５と前記収納箱４の天板４Ｂとの間に、前記収納箱４の出し入れのストロークよりも小さいストロークで出し入れしうる、仏具載置用の摺動板６を設けた場合を例示している。
【００１４】
この摺動板６は、前記支持板５との間に、線香箱、香炉等の小高さの仏具Ｗ１が入る高さｈ１を隔てて配される。この高さｈ１は、通常５〜２０ｃｍ程度、好ましくは５〜１０ｃｍに設定される。又摺動板６には、引き出し時、多くの仏具Ｗを載置可能とし、特に摺動板６の両側に、前記高さｈ１を越える長身の仏具Ｗ２、例えば蝋燭立て等を載置することができる。しかし、前記摺動板６を基台部２内に収納する際、前記長身の仏具Ｗ２が支持板５と衝合して転倒する恐れがあり、そのため本例では、支持板５の両側に、衝合回避用の切欠き部５ａ、５ａを設けている。このとき、該切欠き部５ａ、５ａ間には、前方に突出することにより、例えば過去帳などの仏具Ｗ３を載置しうる中央突部５ｂが形成される。
【００１５】
次に、前記移動体１８は、前記基台部２内を前後移動しうる移動基板２０と、この移動基板２０に立設される経机状の収納箱４とからなり、本例では、前後移動手段７（図３、４に示す）によってモータ駆動される場合を例示する。なお前記移動基板２０は、図３、４に示すように、基台部２の前記底板２Ａに取付くボール入りスライドレール等のガイドレール１１によって、該底板２Ａとの間に間隙を有して前後移動可能に保持される。
【００１６】
又前記前後移動手段７は、本例では、基台部２の前記底板２Ａに配されかつ前後にのびる一対のレール９と、前記底板２Ａに配されかつ前記レール９と平行にのびるラック１０と、前記レール９に係合して上下、左右に拘束されつつ前後に案内されるスライダ１２を下面に設けた走行枠１３と、この走行枠１３に固着されかつ回転軸に前記ラック１０に噛み合うピニオン１４を装着したモータＭとから構成される。本例では、前記ラック１０は、側面に歯部を設けた横向き状をなし、これによって底板２Ａに変形なく強固に取り付き、ピニオン１４との噛み合い不良などを防止できる。なお図４は、前後移動手段７を後方から見た斜視図であり、便宜上、基台部２の側板２Ｂ、背板２Ｃなどを省いて図示している。
【００１７】
また前記基台部２の底板２Ａには、図３の如く、移動体１８が基台部２内に収納される後退位置Ｚ１（図２、３）と、移動体１８が最も引き出される前進位置Ｚ２（図１、５）とをそれぞれ検知しうるリミットスイッチＳｒ、Ｓｆが前後に設けられるとともに、前記走行枠１３には、該リミットスイッチＳｆ、Ｓｒに当接してこれらを作動させるアクチェータを設けている。なお各リミットスイッチＳｒ、Ｓｆの検出信号は、制御器（図示しない）へと入力され前記モータＭへの制御が行われる。
【００１８】
本例の仏壇１には、前記移動体１８を移動させる操作スイッチＳＴ（図２）が設けられており、例えば前への移動指示操作により、前記モータＭが所定の向きに回転する。これにより、前記ラック１０に沿って走行枠１３が前進し、移動体１８を前方へと押し出ししうる。そして、走行枠１３のリミットスイッチＳｆへの当接により、移動体１８を前記前進位置Ｚ２に停止させる。
【００１９】
同様に、後への移動指示操作によって、前記モータＭが前記とは逆向きに回転し、走行枠１３がリミットスイッチＳｒに当接する、即ち移動体１８が前記後退位置Ｚ１となるまで、該移動体１８を後方へと引き込みできる。
【００２０】
又本例では、前記前後移動手段７が、結合手段８を介して移動体１８に着脱可能に連結されるものを例示している。具体的には、前記走行枠１３を、例えば鉄等の磁性体で形成するとともに、結合手段８として永久磁石１７を使用する。この永久磁石１７は、前記収納箱４の例えば背面に固着され、前記走行枠１３を吸着する。このように構成することにより、例えばモータＭが前記後退位置Ｚ１において故障等によりロックした場合など、手動により移動体１８を前へと強く引っ張るという簡単な動作で前後移動手段７と切り離すことができ、走行枠１３をその場に残したまま移動体１８だけを引き出しでき、モータＭの故障時にも移動体１８の前後移動を確保しうる。
【００２１】
次に、前記収納箱４は、図２に示すように、前記移動基板２０上において、少なくとも一側方に空所Ｈを残して箱体２１を立設することにより形成される。詳しくは、前記箱体２１は、前記移動基板２０から立上がる縦板２１Ａ及び背板２１Ｂの上端間に、天板２１Ｃを架け渡した経机状をなし、前記縦板２１Ａは、前記収納箱４の他方の側に配された側の縦板２１Ａ１と、中央寄りに配された中の縦板２１Ａ２とを含んで構成される。そして、この縦板２１Ａ１、２１Ａ２間に、例えば引出しを有する前記箱体２１が形成されることにより、該箱体２１の側方、即ち前記収納箱４における一方の側に、空所Ｈが形成される。この空所Ｈは、本例では、その上面及び背面が、前記天板２１Ｃ及び背板２１Ｂで覆われている。
【００２２】
そして該空所Ｈには、前記移動基板２０に、駆動手段２２により駆動されるリン載置板２３を設けている。
【００２３】
このリン載置板２３は、図２に示すように、その前縁及び側縁を、前記移動基板２０の前縁及び基台部２の側板２Ｂ側面と略平行とした矩形状の板体からなり、その上面でリンＲ１（図１に示す）を載置する。又本例では、リン載置板２３には、その他側縁の側に、前記リンＲ１を打衝する打棒Ｒ２を前後に向けて載置するスタンド状の打棒置き台２４を立設し、その使い勝ってを向上している。
【００２４】
又前記リン載置板２３は、被動板２５上に保持され、この被動板２５が前記駆動手段２２によって駆動されることにより、リン載置板２３は、被動板２５とともに、図３、５に示すように、前記収納箱４の後退位置Ｚ１において前記空所Ｈ内に収納される収納状態Ｙ１から、前記前進位置Ｚ２において空所Ｈから前斜め外方に引き出されて出現する引出状態Ｙ２までの間を、収納箱４の前方移動と連動しながら移動する。
【００２５】
次に、前記駆動手段２２は、図６に示すように、前記収納箱４すなわち移動基板２０の前方移動に連動しかつこの移動基板２０に対して相対的に前後移動しうる作動片３０を有する押し引き手段３１と、前記被動板２５を前記移動基板２０に対して相対的に前斜め外方にスライド可能に案内する斜行手段３２と、前記被動板２５に形成され前記作動片３０が係合する案内部３３とを具える。
【００２６】
詳しくは、前記押し引き手段３１は、前記空所Ｈ内かつ移動基板２０に取り付くリンク機構Ｌａと案内手段３４とからなり、前記リンク機構Ｌａは、その一端（後端）Ｅａが前記基台部３に枢着され、かつ中間部位Ｅｍが前記移動基板２０に枢着されるとともに、前記移動基板２０の前後移動とともに前記案内手段３４により案内されて前後移動しうる前記作動片３０を他端Ｅｂ（前端）に具える。
【００２７】
さらに詳しくは、前記押し引き手段３１は、本例では、第１のリンクＬａ１と、第２のリンクＬａ２と、第３のリンクＬａ３とからなり、第１のリンクＬａ１は、その後端の第１点Ｐ１（前記一端Ｅａに相当）が、前記基台部２に設ける枢着点Ｋ１で回動自在に枢着される。又第２のリンクＬａ２は、その後端の第３点Ｐ３が、前記第１のリンクＬａ１前端の第２点Ｐ２で枢支されるとともに、その中間点ｍ（前記中間部位Ｅｍに相当）が、前記移動基板２０に設ける枢着点Ｋ２で回動自在に枢着される。又第３のリンクＬａ３は、その後端の第５点Ｐ５が、前記第２のリンクＬａ２前端の第４点Ｐ４で枢支されるとともに、その前端の第６点Ｐ６（前記他端Ｅｂに相当）が、前記案内手段３４により前後に案内される。なお前記第６点Ｐ６には、連結板３５を介して、本例ではローラ体である前記作動片３０を設けている。
【００２８】
又前記案内手段３４は、例えば断面コ字状をなしかつ前記移動基板２０に取り付くガイドレール３４Ａと、このガイドレール３４Ａに沿って前後移動する例えばブロック状の移動片３４Ｂとを具える。そしてこの移動片３４Ｂに、前端側に前記作動片３０を有しかつ後端側に前記第６点Ｐ６を枢着した前記連結板３５を固定している。
【００２９】
ここで、前記リンク機構Ｌａでは、第３のリンクＬａ３をなす線分（Ｐ６−Ｐ５）、第２のリンクＬａ２の第４点Ｐ４と中間点ｍとの間の線分（Ｐ４−ｍ）、及び前記第６点Ｐ４と中間点ｍとの間の線分（Ｐ６−ｍ）は、往復スライダ機構を構成する。従って、前記移動基板２０が基台部２に対して前方移動する際、第１のリンクＬａ１によって、第２のリンクＬａ２は中間点ｍ廻りで揺動し、この揺動が、前記第３のリンクＬａ３前端の第６点Ｐ６を前方移動させることとなる。すなわち、移動基板２０の前後移動に伴い、前記作動片３０を移動基板２０に対して相対的に前後移動しうる。
【００３０】
次に、前記斜行手段３２は、前記移動基板２０に固定されかつ前後方向線に対して中心線が前斜め外方に傾く例えば合成樹脂製のガイド部材３６と、このガイド部材３６にスライド可能かつ回動不能に保持される例えば金属性のスライド部材３７とを具える。このガイド部材３６及びスライド部材３７は、前記ガイドレール３４Ａの下方を通って前記前斜め外方に延在し、本例では、前記ガイド部材３６の長さを比較的小に設定することにより、このガイド部材３６の前方からの露出を防止している。又前記スライド部材３７は、前記ガイドレール３４Ａよりも充分長尺であり、本例では、その前後端で立ち上がるスペーサ３８を介して、前記被動板２５を固定している。従って、スライド部材３７は、前後端のスペーサ３８、３８間がなすストローク範囲でスライド移動しうる。
【００３１】
又前記被動板２５は、前記リン載置板２３と略同形状の基板３９を有し、ガイドレール３４Ａを跨いだ両側で、前記スペーサ３８介してスライド部材３７に固定される。この基板３９には、その前縁及び両側縁に沿って垂下する幕板４０が設けられ、前記押し引き手段３１及び斜行手段３２を目隠ししている。又基板３９の後縁には、前記スライド部材３７の後端を固定する膨出部３９ａを後方側に膨出しするとともに、後縁側に幕板を設けないことにより、被動板２５と前記押し引き手段３１との衝合を防止している。なお前記被動板２５とスライド部材３７との固定は、前記基板３９の側にスペーサ３８を設けることもでき。又スペーサ３８を用いることなく前記幕板４０下端でスライド部材３７を固定しても良い。
【００３２】
又前記基板３９には、前記作動片３０と係合する案内部３３が設けられる。この案内部３３は、本例では、前記基板３９に穿設される案内溝であって、前後にのびる前後案内部３３Ａと、この前後案内部３３Ａの前端に連なり前記基台部２中心側に向かって内向きに折れ曲がる横案内部３３Ｂとから形成される。本例では、前記案内部３３として、前記前後案内部３３Ａと横案内部３３Ｂとが直角なＬ字状のものを例示しているが、非直角例えば鋭角としたＬ字状とすることもできる。
【００３３】
ここで、前記前後案内部３３Ａは、前記リン載置板２３が収納される場合の移動基板２０の前後動に対して、前記作動片３０と遊合し、前記被動板２５を移動基板２０と一体移動させる。
【００３４】
すなわち、例えば図３の如く、収納箱４が前記後退位置Ｚ１かつリン載置板２３が前記収納状態Ｙ１となる初期状態Ｘ１から、前記移動基板２０が前方移動する場合、前記前後案内部３３Ａは、作動片３０とは係合することなく、たんに前後案内部３３Ａの前端Ｊａに向かって前方に通過させる。従って、この前端Ｊａと作動片３０とが当接するまでの間では、被動板２５は、移動基板２０と一体移動しうるなど、被動板２５は、初期状態Ｘ１から当接状態Ｘｍまでの間に、移動基板２０と一体移動しうる前後動域Ｕ１を持つことができる。
【００３５】
又前記当接状態Ｘｍを過ぎた後は、図５の如く、作動片３０が前記横案内部３３Ｂの前縁と当接し、前記横案内部３３Ｂと作動片３０とが係合して前記被動板２５を前方に押し出しうる。このとき、被動板２５が前記斜行手段３２に拘束されるため、前記リン載置板２３を前記前斜め外方に送り出すことができる。すなわち、被動板２５は、前記前後動域Ｕ１の以後に、移動基板２０とは相対的に前斜め外方に斜行する斜行域Ｕ２を持つことができる。
【００３６】
このように仏壇１は、前記リン載置板２３を支点廻りの回動ではなく、ガイドレール３４Ａ、ガイド部材３６等を用いた直線運動としているため、安定なトルクで駆動でき、耐久強度を高く確保しながらリン載置板２３を円滑な動きで作動しうる。
【００３７】
また前後動域Ｕ１を具えているため、前記リン載置板２３が前記基台部２の側板２Ｂを前に越える位置まで移動基板２０と一体に前方移動させることができる。従って、例えば図５に示すように、前後動域Ｕ１を有さないものに比して、前記側板２Ｂの前縁を、前方側に長さＪ延長することが可能となるなど、設計及び外観の自由度を高めることができる。なお前記「側板２Ｂを前に越える位置」とは、リン載置板２３が側板２Ｂの前を横切って斜行しうる斜行開始位置であって、少なくともリン載置板２３の前縁が側板２Ｂの前縁を越えることが必要である。
【００３８】
又前記長さＪ及び前記リン載置板２３の動作は、前記案内部３３の形状により変化させることができる。
【００３９】
図７（Ａ）〜（Ｃ）に、前後案内部３３Ａと横案内部３３Ｂとが直角なＬ字状の第１の案内部３３ａの場合、この第１の案内部３３ａに対して前後案内部３３Ａを長寸化した直角Ｌ字状の第２の案内部３３ｂの場合、及び第２の案内部３３ｂに対して横案内部３３Ｂを鋭角とした非直角Ｌ字状の第３の案内部３３ｃの場合におけるリン載置板２３の動きを誇張して示す。第２の案内部３３ｂでは、第１の案内部３３ａの場合に比して、前後動域Ｕ１と斜行域Ｕ２との比率を変化（本例では前後動域Ｕ１の比率を増加）することができ、前記長さＪをより増大させることができる。このとき、斜行域Ｕ２における斜行の角度αは同一である。又第３の案内部３３ｃでは、第２の案内部３３ｂの場合に比して、斜行域Ｕ２における斜行の角度αを変化（本例では角度αを増加）させることができる。
【００４０】
このように、案内部３３の形状を変化させることにより、前記リン載置板２３の動作を自在に変化させることができる。本例では、このメリットを活かすため、図６に示すように、被動板２５の前記基板３９を、主部３９Ａと、前記案内部３３が形成されかつ前記主部３９Ａに取替自在に保持されるカム板３９Ｂとによって構成している。
【００４１】
又前記リンク機構Ｌａによるリンク長さを調整手段４２によって変化させることにより、リン載置板２３の動作をさらに変化させることができる。
【００４２】
この調整手段４２として、本例では、図６に示すように、第３のリンクＬａ３に形成され、かつ第６点Ｐ６からの距離が、前記第５点Ｐ５とは相違する補助の第５点Ｐ５ａからなるものを例示している。この補助の第５点Ｐ５ａは、第５点Ｐ５とは切り替えて前記第２のリンクＬａ３の第４点Ｐ４に連結できる。従って、移動基板２０の移動距離に対する第６点Ｐ６の位置が変化し、その結果、図８（Ａ）、（Ｂ）に比較するように、引出状態Ｙ２におけるリン載置板２３の引き出し距離Ｎを簡便に変化、調整することができる。なお調整手段４２として、第６点Ｐ６からの距離をそれぞれ違えた複数の補助の第５点Ｐ５ａを第３のリンクＬａ３に形成しても良く、又前記第２のリンクＬａ２に、前記第３点Ｐ３からの距離が、前記第４点Ｐ４とは相違する補助の第４点を設けることもできる。
【００４３】
なお図９に、本発明の他の実施形態を示している。本例の仏壇１は、前記基台部２と、その上の厨子部３とを一体に形成した仏壇本体５０を有する所謂家具調仏壇であって、該仏壇本体５０には、前記基台部２及び厨子部３をともに開閉しうる一対の外扉５１が配される。なお前記基台部２は、その側板２Ｂが前記仏壇本体５０の略全長に亘って延設され、該側板２Ｂ、２Ｂ間に、前記基台部２と厨子部３とを区切る仕切部５２をなす前記支持板５が架け渡される。
【００４４】
以上、本発明の特に好ましい実施形態について詳述したが、本発明は図示の実施形態に限定されることなく、種々の態様に変形して実施しうる。
【図面の簡単な説明】
【００４５】
【図１】本発明の仏壇の一実施例を、リン載置板の引出状態において示す斜視図である。
【図２】その主要部を、リン載置板の収納状態において示す斜視図である。
【図３】基台部を水平面に沿って切断した断面図である。
【図４】前後移動手段の一部を背面側から見た部分斜視図である。
【図５】引出状態におけるリン載置板を示す平面図である。
【図６】駆動手段を示す斜視図である。
【図７】（Ａ）〜（Ｃ）は、案内部によるリン載置板の動きの変化を誇張して示す線図である。
【図８】（Ａ）、（Ｂ）は、調整手段によりリンク長さを変化させたときのリン載置板の動きの変化を示す線図、（Ｃ）は案内部を非直角Ｌ字状としたときのリン載置板の動きの変化を示す線図である。
【図９】本発明の仏壇の他の実施例を、箱体の収納状態において示す斜視図である。
【図１０】従来技術を説明する斜視図である。
【符号の説明】
【００４６】
１      仏壇
２      基台部
２Ｂ    側板
３      厨子部
４      収納箱
１８    移動体
２０    移動基板
２１    箱体
２２    駆動手段
２３    リン載置板
２５    被動板
３０    作動片
３１    押し引き手段
３２    斜行手段
３３    案内部
３３Ａ  前後案内部
３３Ｂ  横案内部
３４    案内手段
３６    ガイド部材
３９Ｂ  カム板
Ｅａ    一端
Ｅｂ    他端
Ｅｍ    中間部位
Ｈ      空所
Ｕ２    斜行域
【図１】
2005058416.tif 000003
【図２】
2005058416.tif 000004
【図３】
2005058416.tif 000005
【図４】
2005058416.tif 000006
【図５】
2005058416.tif 000007
【図６】
2005058416.tif 000008
【図７】
2005058416.tif 000009
【図８】
2005058416.tif 000010
【図９】
2005058416.tif 000011
【図１０】
2005058416.tif 000012